(57)【要約】【課題】第１の課題は、傾斜面又は水平面上で転動可能な缶容器、ガラス製又は樹脂製のボトル容器等各種飲料容器を多数収納し、投入順に順次庫外に取り出して飲用と供給することが可能な実用性かつ汎用性ある冷蔵庫用飲料容器収納具の提供である。【解決手段】収納具１００は、外殻を構成する函状容器Ｃ１と内部構成部材である、上段傾斜板６、供給口６ａ、第１流下口６ｂ、第２傾斜板７、水平板８、第２流下口８ａ、第２水平板８１、第３流下口８１ａ、第３傾斜板９、第４流下口９ｂ、第４傾斜板１０、取出口１１ｂおよび引出板１１等から構成されている。【選択図】図３
0003168500.tif 000002
【実用新案登録請求の範囲】
【請求項１】
左右側板、背板、前面板および底板よりなり、上方を開口した函状容器であって、
当該函状容器における前記左右側板間には１〜複数の傾斜板と水平板を配設し、
最上段の前記傾斜板における前面側には飲料容器の供給口を設けると共に、
前記最上段の傾斜板は、前記左右側板に形成されたスライド溝を介して前面側と後部にスライド可能とし、
前記最上段の傾斜板を前面側にスライドさせると当該傾斜板の後部と背板間に飲料容器の第１流下口が形成され、
前記最上段の傾斜板の下方に配置された第２傾斜板は、背板側が高く前面側を低く形成されてなり、
前記第２傾斜板の直下には中間部に飲料容器の第２流下口を設けた前面側と後部にスライド可能な水平板を配置し、
当該水平板の下面には第３流下口を設けた第２水平板が取り付けられ、
前記第２水平板の下方には前面側を高くした第３傾斜板を配置し、
前記第３傾斜板の下方には背板側を高く、前面側を低く形成した第４傾斜板を配置し、
当該第４傾斜板の直下には飲料容器のストッパー付き取出口を設けると共に、
前記第４傾斜板と前記底板間を前面側と後部方向にスライド可能な引出板が配置されている、
ことを特徴とする冷蔵庫用飲料容器収納具。
【請求項２】
前記函状容器の横巾、高さおよび奥行は、冷蔵庫の冷蔵室内に収納可能な寸法である、
ことを特徴とする請求項１に記載の冷蔵庫用飲料容器収納具。
【請求項３】
前記函状容器の内巾は、飲料容量が少なくとも３５０ｍｌ以下又は５００ｍｌ以下の缶容器、ガラス製又は樹脂製のボトル容器等各種飲料容器が横倒し状態で収納され、かつ前記傾斜板、水平板および引出板上を転動可能な寸法としている、
ことを特徴とする請求項１又は請求項２の何れかに記載の冷蔵庫用飲料容器収納具。
【請求項４】
前記函状容器、前記傾斜板、水平板および引出板は透明又は半透明の硬質樹脂材からなる、
ことを特徴とする請求項１〜請求項３の何れかに記載の冷蔵庫用飲料容器収納具。
【請求項５】
前記傾斜板の傾斜角度が約３°〜６°である、
ことを特徴とする請求項１、請求項３又は請求項４の何れかに記載の冷蔵庫用飲料容器収納具。
【考案の詳細な説明】
【技術分野】
【０００１】  本考案は、主に一般家庭における冷蔵庫用飲料容器収納具に関し、より詳しくは、冷蔵庫内で冷やした缶容器、ガラス製又は樹脂製のボトル容器等の各種飲料容器を投入順に順次取り出して飲用し、かつ必要分供給することが可能な実用性と汎用性ある冷蔵庫用飲料容器収納具に関する。
【背景技術】
【０００２】  従来より、例えば家庭用冷蔵庫に収納されて冷やされる円筒状の飲料容器、例えば、缶ビール、缶ジュース等は、一般的に冷蔵庫の内扉に設けられた所定の位置に収納するか、扉奥の冷蔵室内に飲料容器を自立させるか又は横倒しにして収納されている。【０００３】  しかしながら、上記のように冷蔵室内に多数の飲料容器を自立させるか又は横倒しにして収納する場合には、前面に収納されているものあるいは取り出し易いものから引き出されて飲用され、その後にまた新しい（冷えていない）飲料容器が収納されることが多かった。このようにすると、いったん奥の方に入れられたり、又は多段に並置されている場合、下方に置かれた飲料容器は、取り出される機会が少なくなり、一方、前面又は上方に並置された飲料容器は頻繁に入れ替わるため十分に冷やされないままに開栓されるという不具合が起きている。【０００４】  特許文献１（第１頁、図１参照）の「缶製品収納具」は、冷蔵庫の貯蔵室、特にサイドポケットに缶製品を省スペースで効率良く収納できる缶製品収納具を提供することを課題として、その解決手段は、上部に投入用開口部を備え、下部に接地部を備えた収納体を、この収納体内に前記投入用開口部から横にして投入した缶製品を複数本縦列状態に収納し得るように構成し、この接地部で接地した際の収納体の高さを冷蔵庫の貯蔵室内に収納し得る高さに設定した、ことを特徴としている。【０００５】  例えば、一般家庭等に多数の来客があり、食事会ないしホームパーティー等を開くようなときに、冷蔵庫の貯蔵室、特にサイドポケット等に収納された、特許文献１の「缶製品収納具」は、投入用開口部から缶製品を横にして複数本縦列状態に収納するので、取り出す際には上部の缶製品から取り出され、その収納部に冷やされていない缶製品が重ねて収納されることになり、上述したように、十分に冷やされないままに開栓されるという不具合が起きて、来客に嫌な思いをさせることになりかねない。
【先行技術文献】
【特許文献】
【０００６】
【特許文献１】特開２０００−１４６４２５号公報
【考案の概要】
【考案が解決しようとする課題】
【０００７】  そこで本願考案が解決しようとする第１の課題は、傾斜面又は水平面上で転動可能な缶容器、ガラス製又は樹脂製からなる各種飲料容器を多数収納し、投入順に順次庫外に取り出して飲用と供給することが可能な実用性かつ汎用性ある冷蔵庫用飲料容器収納具の提供である。第２の課題は、転動可能な飲料容器の外径と長さに適合する冷蔵庫用飲料容器収納具の提供である。第３の課題は、飲料の種類、数量等の必要に応じて冷蔵庫の冷蔵室内に収納可能な冷蔵庫用飲料容器収納具の提供である。【０００８】  本願考案者は、上記従来技術に鑑み、鋭意検討を重ねて実用性かつ汎用性のある本願考案を完成したものである。課題を解決するための手段は、本願、実用新案登録請求の範囲の各請求項に記載の考案であり、その具体的な解決手段は、以下の通りである。【０００９】  上記の課題を解決するための第１の考案は、請求項１に記載の考案であり、
左右側板、背板、前面板および底板よりなり、上方を開口した函状容器であって、当該函状容器における前記左右側板間には１〜複数の傾斜板と水平板を配設し、最上段の前記傾斜板における前面側には飲料容器の供給口を設けると共に、前記最上段の傾斜板は、前記左右側板に形成されたスライド溝を介して前面側と後部にスライド可能とし、前記最上段の傾斜板を前面側にスライドさせると当該傾斜板の後部と背板間に飲料容器の第１流下口が形成され、前記最上段の傾斜板の下方に配置された第２傾斜板は、背板側が高く前面側を低く形成されてなり、前記第２傾斜板の直下には中間部に飲料容器の第２流下口を設けた前面側と後部にスライド可能な水平板を配置し、当該水平板の下面には第３流下口を設けた第２水平板が取り付けられ、前記第２水平板の下方には前面側を高くした第３傾斜板を配置し、前記第３傾斜板の下方には背板側を高く、前面側を低く形成した第４傾斜板を配置し、当該第４傾斜板の直下には飲料容器のストッパー付き取出口を設けると共に、前記第４傾斜板と前記底板間を前面側と後部方向にスライド可能な引出板が配置されている、ことを特徴としている。【００１０】  上記の課題を解決するための第２の考案は、請求項２に記載の考案であり、
前記函状容器の横巾、高さおよび奥行は、冷蔵庫の冷蔵室内に収納可能な寸法である、ことを特徴としている。【００１１】  上記の課題を解決するための第３の考案は、請求項３に記載の考案であり、
前記函状容器の内巾は、飲料容量が少なくとも３５０ｍｌ以下又は５００ｍｌ以下の缶容器、ガラス製又は樹脂製のボトル容器等各種飲料容器が横倒し状態で収納され、かつ前記傾斜板、水平板および引出板上を転動可能な寸法としている、ことを特徴としている。【００１２】  上記の課題を解決するための第４の考案は、請求項４に記載の考案であり、
前記函状容器、前記傾斜板、水平板および引出板は透明又は半透明の硬質樹脂材からなる、ことを特徴としている。【００１３】  上記の課題を解決するための第５の考案は、請求項５に記載の考案であり、
前記傾斜板の傾斜角度が約３°〜６°である、ことを特徴としている。
【考案の効果】
【００１４】  本考案に係る、冷蔵庫用飲料容器収納具は、上記のような特徴的構成要件から構成され、特徴的構成要件に応じた、以下のような本考案特有の効果を奏する。また、上記のような特徴的構成要件によれば、本願考案の課題を十分に解決することができた。
即ち、第１の考案によれば、「左右側板、背板、前面板および底板よりなり、上方を開口した函状容器であって、当該函状容器における前記左右側板間には１〜複数の傾斜板と水平板を配設し、最上段の前記傾斜板における前面側には飲料容器の供給口を設けると共に、前記最上段の傾斜板は、前記左右側板に形成されたスライド溝を介して前面側と後部にスライド可能とし、前記最上段の傾斜板を前面側にスライドさせると当該傾斜板の後部と背板間に飲料容器の第１流下口が形成され、前記最上段の傾斜板の下方に配置された第２傾斜板は、背板側が高く前面側を低く形成されてなり、前記第２傾斜板の直下には中間部に飲料容器の第２流下口を設けた前面側と後部にスライド可能な水平板を配置し、当該水平板の下面には第３流下口を設けた第２水平板が取り付けられ、前記第２水平板の下方には前面側を高くした第３傾斜板を配置し、前記第３傾斜板の下方には背板側を高く、前面側を低く形成した第４傾斜板を配置し、当該第４傾斜板の直下には飲料容器のストッパー付き取出口を設けると共に、前記第４傾斜板と前記底板間を前面側と後部方向にスライド可能な引出板が配置されている」という特徴的構成要件により、
また第２の考案によれば、「前記函状容器の横巾、高さおよび奥行は、冷蔵庫の冷蔵室内に収納可能な寸法である」という特徴的構成要件により、
また第５の考案によれば、「前記傾斜板の傾斜角度が約３°〜６°である」という特徴的構成要件により、
傾斜面又は水平面上で転動可能な缶容器、ガラス製又は樹脂製からなる各種飲料容器を多数収納し、投入順に順次庫外に取り出して飲用することが可能な実用性かつ汎用性ある冷蔵庫用飲料容器収納具の提供という、第１の課題を解決することができた。【００１５】  第３の考案によれば、「前記函状容器の内巾は、飲料容量が少なくとも３５０ｍｌ以下又は５００ｍｌ以下の缶容器、ガラス製又は樹脂製のボトル容器等各種飲料容器が横倒し状態で収納され、かつ前記傾斜板、水平板および引出板上を転動可能な寸法としている」という特徴的構成要件により、
転動可能な飲料容器の外径と長さに適合する冷蔵庫用飲料容器収納具の提供という、第２の課題を解決することができた。【００１６】  第４の考案によれば、「前記函状容器、前記傾斜板、水平板および引出板は透明又は半透明の硬質樹脂材からなる」という特徴的構成要件により、
飲料の種類、数量等の必要に応じて冷蔵庫の冷蔵室内に収納可能な冷蔵庫用飲料容器収納具の提供という、第３の課題を解決することができた。
【図面の簡単な説明】
【００１７】
【図１】は、本願考案に係る、冷蔵庫用飲料容器収納具を冷蔵庫の冷蔵室内に収納した状態の斜視図である。
【図２】は、本願考案に係る、冷蔵庫用飲料容器収納具の正面図である。
【図３】は、図２における３−３線断面図である。
【図４】は、図３における作動態様を説明する断面図である。
【図５】は、本願考案に係る、冷蔵庫用飲料容器収納具の他の実施形態を示す正面図である。
【考案を実施するための形態】
【００１８】  図１は、本願考案に係る第１の実施形態である、冷蔵庫用飲料容器収納具（以下、収納具１００という）を家庭用冷蔵庫ＣＬの冷蔵室内ＣＬａに収納した状態を示している。家庭用冷蔵庫ＣＬの収納容量は、メーカーによって種々異なるが、本願考案に係る収納具１００は、例えば、某メーカーの冷蔵庫ＣＬにおける収納容量が最小である１３７リットル（冷蔵室内の巾寸３９０ｍｍ、高さ４１０ｍｍ以上、奥行４３０ｍｍ）の冷蔵室内ＣＬａにも収納が可能なように製作されるものである。
【００１９】  図１〜図４は、５００ｍｌ入り缶容器（缶ビール）等を一度に１５本以上収納して冷やすことが可能な収納具１００で、例えば、図２に示すように、横巾Ｗは１８５ｍｍ、高さＨは３４５ｍｍ、また図３に示す奥行Ｌは３５５ｍｍとすることができる。函状容器Ｃ１の内巾Ｃ１ａは１８０ｍｍである。ちなみに５００ｍｌ入り缶ビールの長さは、１６７ｍｍ、外径は６５ｍｍ（各ビールメーカー共通）であり、この数値以下の、例えば、飲料の中身が異なるガラス製又は樹脂製のボトル容器等にも使用することが可能である。収納具１００の外殻を構成する函状容器Ｃ１は、左側板１、右側板２、背板３、前面板４、第２前面板４１および底板５等よりなり、上方は開口Ｃ１ｂされている。
【００２０】  図３は、収納具１００における内部構成部材を示し、６は最上段の傾斜板で、左側板１と右側板２の内側に形成されたスライド溝１ａ、１ｂと２ａ、２ｂを介して前面側と後部にスライド可能とされ、最上段の傾斜板６を前面側にスライドさせると傾斜板６の後部と背板３間に缶容器Ｋを下流に流す第１流下口６ｂ（図４、参照）が形成されるようになっている。６ａは缶容器Ｋの供給口である。最上段の傾斜板６の最後部６ｃは背板３の内側に設けられた係止部材３ａに係止されている。傾斜板６の最後部６ｃよりやや前面側の下面にはストッパー６ｄが設けられ、傾斜板６を前面側にスライドさせたとき、スライド溝１ａ、１ｂと２ａ、２ｂの後部下端に設けたストッパー受け具Ｓ１によって傾斜板６の前面側へのスライドをストップさせるようになっている。６ｅは前面側に引き寄せるときの指掛けである。７は第２傾斜板で、最上段の傾斜板６の下方に配置され、図示するように、背板３側が高く前面側が低く形成され、その傾斜角度θは約３°〜６°とされ、前述の最上段の傾斜板６、後述の第３傾斜板９および第４傾斜板１０も同様に傾斜角度θは約３°〜６°とされている。第２傾斜板７の直下には、中間部に缶容器Ｋの第２流下口８ａを設けると共に、缶容器Ｋの下流への流下を一時的に停止するためのストッパー８ｂが立設された水平板８が配置されている。水平板８の前面側は垂直状の立ち上り部８ｃが形成され、その頂部には指掛け８ｄが設けられ、かつその内側下方にはフック８ｅが形成されている。フック８ｅは第２前面板４１に係止されている。水平板８の下面には、水平板８が前面側にスライドされたときに第２流下口８ａに対応する第３流下口８１ａを設けた第２水平板８１が取り付けられている。第２水平板８１の下方には前面側を高くした第３傾斜板９が配置されている。９ａは左側板１と右側板２の内側に形成された補強板で、９ｂは第３傾斜板９の下流側に形成された第４流下口である。第３傾斜板９の下方には背板３側を高く、前面側を低く形成した第４傾斜板１０が配置されている。第４傾斜板１０の直下には、缶容器Ｋを停止するストッパー１１ａ付きの取出口１１ｂを設けると共に、当該第４傾斜板１０と底板５間を前面側と後部方向にスライド可能な引出板１１が配置された構成となっている。なお函状容器Ｃ１を構成する左側板１、右側板２、背板３、前面板４、第２前面板４１および底板５の厚さ寸法、また最上段の傾斜板６、第２傾斜板７、水平板８、第２水平板８１、第３傾斜板９、第４傾斜板１０および引出板１１等の厚さ寸法は、約２ｍｍ〜３ｍｍの透明又は半透明の硬質合成樹脂材、例えば、ポリエチレンテレフタート（ＰＥＴ）、ポリプロピレン（ＰＰ）又はポリカーボネート（ＰＣ）等からなっている。
【００２１】  図３および図４を中心に収納具１００に収納された缶容器Ｋ１〜Ｋ５等の作動態様について詳述する。図３における缶容器Ｋ１〜Ｋ５は、最上段の傾斜板（以下、上段傾斜板６という）の供給口６ａから供給されてストックされた状態である。缶容器Ｋ１〜Ｋ５を下流に流下させるには、図４に示すように、上段傾斜板６の指掛け６ｅを片手で前面側に引けば、第１流下口６ｂが開き、まず缶容器Ｋ１が第２傾斜板７に落下し、順次缶容器Ｋ２〜Ｋ５が流下する。缶容器Ｋ１は水平板８のストッパー８ｂでいったん停止すると、後続の缶容器Ｋ２〜Ｋ５も停止する。次に缶容器Ｋ１〜Ｋ５を下流に流下させるには、水平板８の指掛け８ｄを指先でやや上方に持ち上げて手前に引けば、フック８ｅが第２前面板４１から離脱するのでこれを手前側に引き寄せると缶容器Ｋ１以下は、ストッパー８ｂと共に前面側に移動し、第２流下口８ａと第２水平板８１の第３流下口８１ａから下方の第３傾斜板の上に落下する。第３傾斜板９上に落下した缶容器Ｋ１〜Ｋ５は、第３傾斜板９の傾斜面に沿って回転しながら流下して第４流下口９ｂから第４傾斜板に落下する。缶容器Ｋ１〜Ｋ５は、第４傾斜板９の傾斜面に沿って回転しながら流下して引出板１１のストッパー１１ａまで流下して停止する。缶容器Ｋ１〜Ｋ５は必要分だけ取出口１１ｂから取り出されて飲用される。
【００２２】  図５は、本願考案に係る他の実施形態を示し、例えば、３５０ｍｌ入り缶容器（缶ビール）等を一度に１５本以上収納して冷やすことが可能な収納具２００である。横巾Ｗは１３３ｍｍで、高さＨや奥行は、５００ｍｌ入り缶容器（缶ビール）と同寸の高さ３４５ｍｍ、奥行３５５ｍｍとすることができる。函状容器Ｃ２の内巾Ｃ２ａは、１２８ｍｍ前後とすることができる。ちなみに３５０ｍｌ入り缶ビールの長さは、１２３ｍｍ、外径は６５ｍｍ（各ビールメーカー共通）であり、この数値以下の、例えば、飲料の中身が異なるガラス製又は樹脂製のボトル容器にも使用することが可能である。
【００２３】  収納具１００と収納具２００の相違点は、外殻を構成する函状容器Ｃ２における横巾寸Ｗ２、内巾寸Ｃ２ａおよび内部構成各部材の横巾寸法のみであり、収納具２００の内部構成部材と供給された各種飲料容器の作動態様は、収納具１００と同じであるから、その説明は省略する。
【符号の説明】
【００２４】  １００・・収納具  Ｃ１・・函状容器  Ｃ１ａ・・内巾  Ｃ１ｂ・・開口  Ｋ・・缶容器  Ｗ・・横巾  Ｈ・・高さ  Ｌ・・奥行  １・・左側板  １ａ、１ｂ・・スライド溝  ２ａ、２ｂ・・スライド溝  ２・・右側板  ３・・背板  ４・・前面板  ４１・・第２前面板  ５・・底板  ６・・最上段の傾斜板  ６ａ・・供給口  ６ｂ・・第１流下口  ７・・第２傾斜板  ８・・水平板  ８ａ・・第２流下口  ８ｂ・・ストッパー  ８ｃ・・立ち上り部  ８ｄ・・指掛け  ８ｅ・・フック  ８１・・第２水平板  ８１ａ・・第３流下口  ９・・第３傾斜板  ９ａ・・補強板  ９ｂ・・第４流下口  １０・・第４傾斜板  １１・・引出板  １１ａ・・ストッパー  １１ｂ・・取出口  θ・・傾斜角度
【図１】
0003168500.tif 000003
【図２】
0003168500.tif 000004
【図３】
0003168500.tif 000005
【図４】
0003168500.tif 000006
【図５】
0003168500.tif 000007